(57)【要約】【課題】記録速度を高速化しつつ、記録媒体の使用容量を抑制すること。【解決手段】ディスクプレイヤー１１が読み出したコンテンツデータに対し、圧縮処理部３０内のエンコーダ３１が高速に圧縮可能な第１の圧縮処理を行なって一旦ＨＤＤ１２に記録する。その後、ＤＳＰ１７の負荷が小さい状況で第１の圧縮が施されたデータを読み出し、圧縮処理部４０内のエンコーダ４１が圧縮率の高い第２の圧縮処理を実行することで、ＨＤＤ１２の容量を保ちつつ高速な記録を実現する。【選択図】        図１
2007035168.tif 000002
【特許請求の範囲】
【請求項１】
コンテンツデータを記録媒体に記録するデータ記録装置であって、
前記コンテンツデータを取得する取得手段と、
前記取得手段が取得したコンテンツデータに対して第１の圧縮処理を行なって第１の圧縮データを作成し、前記記録媒体に記録する第１の圧縮処理手段と、
前記第１の圧縮データに対して第２の圧縮処理を行なって第２の圧縮データを作成し、前記記録媒体に記録する第２の圧縮処理手段と、
を備えたことを特徴とするデータ記録装置。
【請求項２】
前記第２の圧縮処理は、前記第１の圧縮処理に対して圧縮率が大きいことを特徴とする請求項１に記載のデータ記録装置。
【請求項３】
前記第１の圧縮処理は可逆圧縮であることを特徴とする請求項１または２に記載のデータ記録装置。
【請求項４】
前記第２の圧縮処理手段は、前記第２の圧縮データを前記記録媒体に記憶させた後、前記第１の圧縮データを消去することを特徴とする請求項１，２または３に記載のデータ記録装置。
【請求項５】
前記記録媒体の空き容量が所定量以上である場合は前記コンテンツデータを非圧縮で前記記録媒体に記録した後に前記第２の圧縮処理を行ない、前記記録媒体の空き容量が所定量未満である場合には、前記コンテンツデータを第１の圧縮データに変換して前記記録媒体に記憶した後に前記第２の圧縮処理を行なうことを特徴とする請求項１〜４のいずれか一つに記載のデータ記録装置。
【請求項６】
前記コンテンツデータを非圧縮で記録する領域を前記記録媒体上に予め確保することを特徴とする請求項５に記載のデータ記録装置。
【請求項７】
前記記録媒体に記録された第１の圧縮データ、第２の圧縮データおよび／または非圧縮のコンテンツデータを再生する再生手段をさらに備えたことを特徴とする請求項１〜６のいずれか一つに記載のデータ記録装置。
【請求項８】
前記第２の圧縮処理手段は、前記記録媒体に記録された第１の圧縮データおよび／または非圧縮のコンテンツデータについて、再生頻度の低いデータを優先して前記第２の圧縮処理を行なうことを特徴とする請求項７に記載のデータ記録装置。
【請求項９】
前記再生手段は、前記第１の圧縮処理と同時にデータの再生を行なう場合に、前記第１の圧縮処理によって作成された圧縮データを読み出して使用することを特徴とする請求項７または８に記載のデータ記録装置。
【請求項１０】
前記第２の圧縮処理手段は、処理負荷が小さい場合に前記第２の圧縮処理を行なうことを特徴とする請求項１〜９のいずれか一つに記載のデータ記録装置。
【請求項１１】
前記取得手段は、光ディスク再生装置、電気的メモリ装置、磁気ディスク装置、または放送メディアのいずれかから前記コンテンツデータを取得することを特徴とする請求項１〜１０のいずれか一つに記載のデータ記録装置。
【請求項１２】
前記取得手段は、第１の圧縮処理手段を備えた装置から第１の圧縮データを取得して前記記録媒体に記録することを特徴とする請求項１〜１１のいずれか一つに記載のデータ記録装置
【請求項１３】
前記記録媒体は、磁気ディスク、光ディスク、電気的メモリのうちいずれかであることを特徴とする請求項１〜１２のいずれか一つに記載のデータ記録装置。
【請求項１４】
前記記録媒体を複数備え、前記第１の圧縮データと前記第２の圧縮データをそれぞれ異なる記録媒体に記録することを特徴とする請求項１〜１３のいずれか一つに記載のデータ記録装置。
【発明の詳細な説明】
【技術分野】
【０００１】
この発明は、コンテンツデータを記録媒体に記録するデータ記録装置に関し、特に記録速度の高速化と記録媒体の使用容量抑制とを両立するデータ記録装置に関する。
【背景技術】
【０００２】
近年、ＣＤやＤＶＤに記録された音楽データなどのコンテンツデータを一旦ＨＤＤに記録しておき、ＨＤＤ上から再生するオーディオ機器が普及しつつある。この場合、ＨＤＤにはコンテンツデータを圧縮して記録することが一般的であるが、圧縮を実行するプロセッサの演算能力の関係でＣＤからＨＤＤへの高倍速の記録は困難であった。
【０００３】
この記録速度を改善するため、例えば特許文献１が開示するように、ＣＤから読み出したコンテンツデータを非圧縮状態のまま一旦ＨＤＤに記録し、プロセッサの負荷に余裕があるときにＨＤＤ上の非圧縮データを読み出して圧縮した後、再度ＨＤＤに記録する技術が考案されてきた。
【０００４】
【特許文献１】特開２００１−２１０００７号公報
【発明の開示】
【発明が解決しようとする課題】
【０００５】
従来の技術では、ＣＤから読み出したコンテンツデータをＨＤＤに記録する段階では圧縮が行なわれないために、本来のドライブの読み出し速度（例えば再生速度の３２倍速）程度の速度で記録を終了することができるが、非圧縮のデータをＨＤＤに記録する際に膨大な容量を消費するという問題点があった。
【０００６】
特に車載用のデータ記録装置では、ＨＤＤの容量に制限があり、また地図データなど各種の重要な情報の保存と共用されるため、この問題点の解消が重大な課題となっていた。
【０００７】
本発明は、上述した従来技術における問題点を解消し、課題を解決するためになされたものであり、記録速度の高速化と記録媒体の使用容量抑制とを両立するデータ記録装置を提供することを目的とする。
【課題を解決するための手段】
【０００８】
上述した課題を解決し、目的を達成するため、請求項１の発明に係るデータ記録装置は、コンテンツデータを記録媒体に記録するデータ記録装置であって、前記コンテンツデータを取得する取得手段と、前記取得手段が取得したコンテンツデータに対して第１の圧縮処理を行なって第１の圧縮データを作成し、前記記録媒体に記録する第１の圧縮処理手段と、前記第１の圧縮データに対して第２の圧縮処理を行なって第２の圧縮データを作成し、前記記録媒体に記録する第２の圧縮処理手段と、を備えたことを特徴とする。
【０００９】
この請求項１の発明によればデータ記録装置は、取得したコンテンツデータに対して第１の圧縮処理を行なって第１の圧縮データを作成し、一旦記録媒体に記録した後、第１の圧縮データに対して第２の圧縮処理を行なって第２の圧縮データを作成し、記録媒体に記録する。
【００１０】
また、請求項２の発明に係るデータ記録装置は、請求項１に記載の発明において、前記第２の圧縮処理は、前記第１の圧縮処理に対して圧縮率が大きいことを特徴とする。
【００１１】
この請求項２の発明によればデータ記録装置は、取得したコンテンツデータに対して低圧縮率の圧縮処理を行なって低圧縮データを作成し、一旦記録媒体に記録した後、低圧縮データに対して高圧縮率の圧縮処理を行なって記録媒体に記録する。
【００１２】
また、請求項３の発明に係るデータ記録装置は、請求項１または２に記載の発明において、前記第１の圧縮処理は可逆圧縮であることを特徴とする。
【００１３】
この請求項３の発明によればデータ記録装置は、取得したコンテンツデータに対して可逆圧縮処理を行なって一旦記録媒体に記録し、その後、再度圧縮処理を行なって記録媒体に記録する。
【００１４】
また、請求項４の発明に係るデータ記録装置は、請求項１，２または３に記載の発明において、前記第２の圧縮処理手段は、前記第２の圧縮データを前記記録媒体に記憶させた後、前記第１の圧縮データを消去することを特徴とする。
【００１５】
この請求項４の発明によればデータ記録装置は、取得したコンテンツデータに対して第１の圧縮処理を行なって第１の圧縮データを作成し、一旦記録媒体に記録した後、第１の圧縮データに対して第２の圧縮処理を行なって第２の圧縮データを作成し、記録媒体に記録するとともに第１の圧縮データを削除する。
【００１６】
また、請求項５の発明に係るデータ記録装置は、請求項１〜４のいずれか一つに記載の発明において、前記記録媒体の空き容量が所定量以上である場合は前記コンテンツデータを非圧縮で前記記録媒体に記録した後に前記第２の圧縮処理を行ない、前記記録媒体の空き容量が所定量未満である場合には、前記コンテンツデータを第１の圧縮データに変換して前記記録媒体に記憶した後に前記第２の圧縮処理を行なうことを特徴とする。
【００１７】
この請求項５の発明によればデータ記録装置は、記録媒体の空き容量が所定量以上である場合はコンテンツデータを非圧縮で記録媒体に記録した後に第２の圧縮処理を行ない、記録媒体の空き容量が所定量未満である場合には、コンテンツデータを第１の圧縮データに変換して記録媒体に記憶した後に第２の圧縮処理を行なう。
【００１８】
また、請求項６の発明に係るデータ記録装置は、請求項５に記載の発明において、前記コンテンツデータを非圧縮で記録する領域を前記記録媒体上に予め確保することを特徴とする。
【００１９】
この請求項６の発明によればデータ記録装置は、予め確保した容量の範囲内ではコンテンツデータを非圧縮で記録媒体に記録した後に第２の圧縮処理を行ない、予め確保した容量を超えた場合にコンテンツデータを第１の圧縮データに変換して記録媒体に記憶した後に第２の圧縮処理を行なう。
【００２０】
また、請求項７の発明に係るデータ記録装置は、請求項１〜６のいずれか一つに記載の発明において、前記記録媒体に記録された第１の圧縮データ、第２の圧縮データおよび／または非圧縮のコンテンツデータを再生する再生手段をさらに備えたことを特徴とする。
【００２１】
この請求項７の発明によればデータ記録装置は、取得したコンテンツデータを２段階で圧縮して記録媒体に記録するとともに、記録したデータを再生する。
【００２２】
また、請求項８の発明に係るデータ記録装置は、請求項７に記載の発明において、前記第２の圧縮処理手段は、前記記録媒体に記録された第１の圧縮データおよび／または非圧縮のコンテンツデータについて、再生頻度の低いデータを優先して前記第２の圧縮処理を行なうことを特徴とする。
【００２３】
この請求項８の発明によればデータ記録装置は、記録媒体に記録された第１の圧縮データや非圧縮のコンテンツデータについて、再生頻度の低いデータを優先して第２の圧縮処理を行なう。
【００２４】
また、請求項９の発明に係るデータ記録装置は、請求項７または８に記載の発明において前記再生手段は、前記第１の圧縮処理と同時にデータの再生を行なう場合に、前記第１の圧縮処理によって作成された圧縮データを読み出して使用することを特徴とする。
【００２５】
この請求項９の発明によればデータ記録装置は、コンテンツデータに対して第１の圧縮処理を行なって記録するとともに、圧縮したデータを読み出して再生する。
【００２６】
また、請求項１０の発明に係るデータ記録装置は、請求項１〜９のいずれか一つに記載の発明において、前記第２の圧縮処理手段は、処理負荷が小さい場合に前記第２の圧縮処理を行なうことを特徴とする。
【００２７】
この請求項１０の発明によればデータ記録装置は、取得したコンテンツデータに対して第１の圧縮処理を行なって記録した後、処理負荷が小さい場合に第２の圧縮処理を行なう。
【００２８】
また、請求項１１の発明に係るデータ記録装置は、請求項１〜１０のいずれか一つに記載の発明において、前記取得手段は、光ディスク再生装置、電気的メモリ装置、磁気ディスク装置、または放送メディアのいずれかから前記コンテンツデータを取得することを特徴とする。
【００２９】
この請求項１１の発明によればデータ記録装置は、光ディスク再生装置、電気的メモリ装置、磁気ディスク装置、放送メディアなどから取得したコンテンツデータに対して第１の圧縮処理を行なって第１の圧縮データを作成し、一旦記録媒体に記録した後、第１の圧縮データに対して第２の圧縮処理を行なって第２の圧縮データを作成し、記録媒体に記録する。
【００３０】
また、請求項１２の発明に係るデータ記録装置は、請求項１〜１１のいずれか一つに記載の発明において、前記取得手段は、第１の圧縮処理手段を備えた装置から第１の圧縮データを取得して前記記録媒体に記録することを特徴とする。
【００３１】
この請求項１２の発明によればデータ記録装置は、第１の圧縮処理手段を備えた装置から第１の圧縮データを取得して記録媒体に記録し、その後第２の圧縮処理を実行する。
【００３２】
また、請求項１３の発明に係るデータ記録装置は、請求項１〜１２のいずれか一つに記載の発明において、前記記録媒体は、磁気ディスク、光ディスク、電気的メモリのうちいずれかであることを特徴とする。
【００３３】
この請求項１３の発明によればデータ記録装置は、取得したコンテンツデータを磁気ディスク、光ディスク、電気的メモリなどの記録媒体に記録する場合に、２段階に圧縮処理を行なう。
【００３４】
また、請求項１４の発明に係るデータ記録装置は、請求項１〜１３のいずれか一つに記載の発明において、前記記録媒体を複数備え、前記第１の圧縮データと前記第２の圧縮データをそれぞれ異なる記録媒体に記録することを特徴とする。
【００３５】
この請求項１４の発明によればデータ記録装置は、取得したコンテンツデータを２段階に圧縮し、第１段階の圧縮データと第２段階の圧縮データを異なる記録媒体に記録する。
【発明の効果】
【００３６】
請求項１の発明によればデータ記録装置は、取得したコンテンツデータに対して第１の圧縮処理を行なって第１の圧縮データを作成し、一旦記録媒体に記録した後、第１の圧縮データに対して第２の圧縮処理を行なって第２の圧縮データを作成し、記録媒体に記録するので、記録速度の高速化と記録媒体の使用容量抑制とを両立するデータ記録装置を得ることができるという効果を奏する。
【００３７】
また、請求項２の発明によればデータ記録装置は、取得したコンテンツデータに対して低圧縮率の圧縮処理を行なって低圧縮データを作成し、一旦記録媒体に記録した後、低圧縮データに対して高圧縮率の圧縮処理を行なって記録媒体に記録するので、記録速度の高速化と記録媒体の使用容量抑制とを両立するデータ記録装置を得ることができるという効果を奏する。
【００３８】
また、請求項３の発明によればデータ記録装置は、取得したコンテンツデータに対して可逆圧縮処理を行なって一旦記録媒体に記録し、その後、再度圧縮処理を行なって記録媒体に記録するので、音質の低下を防止しつつ記録速度の高速化と記録媒体の使用容量抑制とを両立するデータ記録装置を得ることができるという効果を奏する。
【００３９】
また、請求項４の発明によればデータ記録装置は、取得したコンテンツデータに対して第１の圧縮処理を行なって第１の圧縮データを作成し、一旦記録媒体に記録した後、第１の圧縮データに対して第２の圧縮処理を行なって第２の圧縮データを作成し、記録媒体に記録するとともに第１の圧縮データを削除するので、記録媒体の使用容量を効果的に抑制するデータ記録装置を得ることができるという効果を奏する。
【００４０】
また、請求項５の発明によればデータ記録装置は、記録媒体の空き容量が所定量以上である場合はコンテンツデータを非圧縮で記録媒体に記録した後に第２の圧縮処理を行ない、記録媒体の空き容量が所定量未満である場合には、コンテンツデータを第１の圧縮データに変換して記録媒体に記憶した後に第２の圧縮処理を行なうので、記録媒体の空き容量に応じて記録速度の消費容量の優先順位を変更するデータ記録装置を得ることができるという効果を奏する。
【００４１】
また、請求項６の発明によればデータ記録装置は、予め確保した容量の範囲内ではコンテンツデータを非圧縮で記録媒体に記録した後に第２の圧縮処理を行ない、予め確保した容量を超えた場合にコンテンツデータを第１の圧縮データに変換して記録媒体に記憶した後に第２の圧縮処理を行なうので、記録媒体の使用状況に応じて記録速度の消費容量の優先順位を変更するデータ記録装置を得ることができるという効果を奏する。
【００４２】
また、請求項７の発明によればデータ記録装置は、取得したコンテンツデータを２段階で圧縮して記録媒体に記録するとともに、記録したデータを再生するので、記録速度の高速化と記録媒体の使用容量抑制とを両立し、かつデータ再生機能を有するデータ記録装置を得ることができるという効果を奏する。
【００４３】
また、請求項８の発明によればデータ記録装置は、記録媒体に記録された第１の圧縮データや非圧縮のコンテンツデータについて、再生頻度の低いデータを優先して第２の圧縮処理を行なうので、データの使用状態に応じて適切に記録媒体の使用容量を抑制するデータ記録装置を得ることができるという効果を奏する。
【００４４】
また、請求項９の発明によればデータ記録装置は、コンテンツデータに対して第１の圧縮処理を行なって記録するとともに、圧縮したデータを読み出して再生するので、記録速度の高速化と記録媒体の使用容量抑制とを両立し、さらにデータの記録と再生を同時に実行可能なデータ記録装置を得ることができるという効果を奏する。
【００４５】
また、請求項１０の発明によればデータ記録装置は、取得したコンテンツデータに対して第１の圧縮処理を行なって記録した後、処理負荷が小さい場合に第２の圧縮処理を行なうので、処理能力を有効利用して記録速度の高速化と記録媒体の使用容量抑制とを両立するデータ記録装置を得ることができるという効果を奏する。
【００４６】
また、請求項１１の発明によればデータ記録装置は、光ディスク再生装置、電気的メモリ装置、磁気ディスク装置、放送メディアなどから取得したコンテンツデータに対して第１の圧縮処理を行なって第１の圧縮データを作成し、一旦記録媒体に記録した後、第１の圧縮データに対して第２の圧縮処理を行なって第２の圧縮データを作成し、記録媒体に記録するので、任意のソースから取得したデータについて記録媒体への記録速度の高速化と使用容量抑制とを両立するデータ記録装置を得ることができるという効果を奏する。
【００４７】
また、請求項１２の発明によればデータ記録装置は、第１の圧縮処理手段を備えた装置から第１の圧縮データを取得して記録媒体に記録し、その後第２の圧縮処理を実行するので、外部装置の機能を利用して記録速度の高速化と記録媒体の使用容量抑制とを両立するデータ記録装置を得ることができるという効果を奏する。
【００４８】
また、請求項１３の発明によればデータ記録装置は、取得したコンテンツデータを磁気ディスク、光ディスク、電気的メモリなどの記録媒体に記録する場合に、２段階に圧縮処理を行なうので、任意の媒体への記録に対して記録速度の高速化と記録媒体の使用容量抑制とを両立するデータ記録装置を得ることができるという効果を奏する。
【００４９】
また、請求項１４の発明によればデータ記録装置は、取得したコンテンツデータを２段階に圧縮し、第１段階の圧縮データと第２段階の圧縮データを異なる記録媒体に記録するので、使用する記録媒体を適宜変更して記録速度の高速化と記録媒体の使用容量抑制とを両立するデータ記録装置を得ることができるという効果を奏する。
【発明を実施するための最良の形態】
【００５０】
以下に添付図面を参照して、この発明に係る車載オーディオ装置の好適な実施例について詳細に説明する。
【実施例】
【００５１】
図１は、本発明の実施の形態である車載オーディオ装置の概要構成を示す概要構成図である。同図に示すように車載オーディオ装置１はその内部にディスクプレイヤー１１、ＨＤＤ１２、スイッチ１３、操作入力部１４、表示出力部１５、制御部１６、ＤＳＰ１７、メモリ１８、ＤＡＣ１９、アンプ２０およびスピーカ２１を有する。
【００５２】
ディスクプレイヤー１１は、ＣＤ（Compact Disc）やＤＶＤなどの記録媒体から記録内容（ここでは音楽データ）を読み出す装置であり、スイッチ１３は、ディスクプレイヤー１１から読み出したデータの出力先をＤＳＰ１７とＤＡＣ１９のいずれかに切り替える。また、ＨＤＤ（Hard Disk Drive）は磁気ディスク上にデータを記録する記録装置である。
【００５３】
操作入力部１４は、ユーザからの操作入力を受け付ける入力インターフェースであり、表示出力部１５はディスプレイなどへの表示出力を行なう出力インターフェースである。
【００５４】
制御部１６は、ユーザからの操作入力に基づいて、もしくは自律的にスイッチ１３の切り替えやＤＳＰ１７の動作制御を実行する。ＤＳＰ（Digital Signal Processor）１７は、データの圧縮や解凍などの処理を行なう処理手段であり、メモリ１８は、電気的に情報を記録する記録媒体である。
【００５５】
ＤＡＣ（Digital/Analog Converter）１９は、ディスクプレイヤー１１から読み出したデジタルデータ、もしくはＤＳＰ１７が出力したデジタルデータをアナログ信号に変換して、アンプ２０に出力する。そして、アナログ信号はアンプ２０によって増幅された後、スピーカ２１から出力される。
【００５６】
この車載オーディオ装置１において、ディスクプレイヤー１１が読み出した音楽データを再生する場合、スイッチ１３の切り替えによってディスクプレイヤー１１の出力を直接ＤＡＣ１９に送る。
【００５７】
一方、ディスクプレイヤー１１が読み出した音楽データをＨＤＤ１２に記録する場合、ディスクプレイヤー１１の出力をＤＳＰ１７に送る。ＤＳＰ１７は、ディスクプレイヤー１１の出力をそのまま（非圧縮で）ＨＤＤ１２に記録するか、もしくは圧縮処理を行なってＨＤＤ１２に記録する。
【００５８】
ディスクプレイヤー１１が読み出した音楽データを圧縮してＨＤＤ１２に記録すれば、データサイズを削減してＨＤＤ１２の容量消費を抑えることができる。しかし、プロセッサが圧縮処理を実行するのに時間を要するので記録速度が遅くなる。
【００５９】
一方、読み出した音楽データを非圧縮でＨＤＤ１２に記録するならば、記録速度は高速（ディスクプレイヤーの最大読み出し速度）であるがデータサイズが大きいためにＨＤＤ１２の容量を大量に消費する。そして、非圧縮で保存後に圧縮をかける場合であっても、非圧縮データをＨＤＤ１２に保存する時点でＨＤＤの容量消費の問題が発生する。
【００６０】
そこで、車載オーディオ装置１は、ディスクプレイヤー１１から読み出した非圧縮データに対して第１の圧縮処理を行なって第１の圧縮データを作成し、この第１の圧縮データをＨＤＤ１２に一旦記録した後、ＨＤＤ１２から第１の圧縮データを読み出して第２の圧縮処理を行なって第２の圧縮データを作成し、改めてＨＤＤ１２に記録する。
【００６１】
そのため、ＤＳＰ１７は、第１の圧縮を実行する圧縮処理部３０と第２の圧縮処理を実行する圧縮処理部４０を備えている。そして、圧縮処理部３０は、データの圧縮時に使用するエンコーダ３１とデータの解凍時に使用するデコーダ３２を備え、圧縮処理部４０は、データの圧縮時に使用するエンコーダ４１とデータの解凍時に使用するデコーダ４２を備えている。このエンコーダ３１と４１、デコーダ３２と４２は、圧縮・解凍率が可変できる同一機能部であってもよい。
【００６２】
なお、圧縮処理部３０による第１の圧縮は、圧縮処理部４０による第２の圧縮に比して圧縮率が低く、処理が高速であるものとする。また、少なくとも第１の圧縮は可逆圧縮でこることが望ましい。第１の圧縮が可逆圧縮であれば、音質を損なうことなく非圧縮データに戻した後に第２の圧縮を実行することができるためである。
【００６３】
この車載オーディオ装置１の動作について、図２を参照してさらに説明する。同図に示すように、まず、ディスクプレイヤー１１から読み出したコンテンツデータＤ０は、圧縮処理部３０のエンコーダ３１によって圧縮される。そして、エンコーダ３１による圧縮の結果得られた低圧縮データＤ１は、一旦ＨＤＤ１２に記録される。
【００６４】
その後、ＤＳＰ１７が低圧縮データＤ１を読み出し、圧縮処理部４０がエンコーダ４１によって圧縮する。この時、エンコーダ４１が低圧縮データＤ１を直接圧縮することができない場合には、圧縮処理部３０のデコーダ３２によって圧縮データＤ１をデコードした後に、エンコーダ４１による圧縮を行なう。
【００６５】
エンコーダ４１による圧縮の結果得られた高圧縮データＤ２は、ＨＤＤ１２に記録される。また、高圧縮データＤ２の記録後には低圧縮データＤ１は不要であるので、高圧縮データＤ２をＨＤＤ１２に記録した時点で低圧縮データＤ１を削除する。
【００６６】
エンコーダ４１による圧縮は、ＤＳＰ１７の負荷が小さいときを選んで実行することが望ましい。具体的には、車載オーディオ装置１が音楽データを再生していない場合や、ＤＳＰ１７を介さずに再生を行なっている場合、ラジオなどＤＳＰ１７による処理が不要な音楽出力を行なっている場合、車載オーディオ装置１が非動作状態である場合、車両のＡＣＣスイッチがオフである場合、などが適している。
【００６７】
ところで、コンテンツデータＤ０をＨＤＤ１２に記録する場合、必ずしも常にエンコーダ３１による圧縮は必要ではなく、ＨＤＤ１２に十分な空き容量がある場合には非圧縮のデータを記録し、ＨＤＤ１２の空き容量が少ない場合にはエンコーダ３１による圧縮を行なうこととしてもよい。
【００６８】
例えば、ＨＤＤ１２の空き容量が所定量以上である場合は非圧縮でＨＤＤ１２に記録した後にエンコーダ４１による圧縮を行ない、ＨＤＤ１２の空き容量が所定量未満である場合には、エンコーダ３１によって低圧縮データに変換してＨＤＤ１２に記憶した後にエンコーダ４１による圧縮を行なえばよい。
【００６９】
また、予めＨＤＤ１２にコンテンツデータを非圧縮で記録する領域を確保しておき、この領域が一杯になるまでは非圧縮でＨＤＤ１２に記録し、予め確保した領域が一杯になった後は、エンコーダ３１によって低圧縮データに変換してＨＤＤ１２に記憶するようにしてもよい。
【００７０】
なお、ＨＤＤ１２に確保する非圧縮記録領域の大きさは、ユーザによる任意の指定によってもよいし、予め設定したパターンから選択する構成であってもよい。
【００７１】
エンコーダ４１による圧縮の対象となる低圧縮データや非圧縮データの選択は、ＨＤＤ１２に記録した低圧縮データおよび非圧縮データのうち再生頻度の低いデータを優先する。このように、再生される頻度の少ないものを優先して高圧縮データに変換することで、使用頻度の高いデータを高音質のまま保存しておくことができる。
【００７２】
再生頻度としては、例えば所定期間（例えば最近１ヶ月）の再生回数としてもよいし、最後に再生されてから所定期間（例えば１ヶ月）以上経過したものから再圧縮するようにしてもよい。また、最初に録音されてから所定期間（例えば３ヶ月）は再圧縮を行なわないようにしてもよい（例えば新しいＣＤを購入して録音したが、忙しくて聴く暇が無く、結局一度も聴くことが無いまま再圧縮されてしまうことを防止できる。）。
【００７３】
続いて、ディスクプレイヤー１１が読み出した音楽データの再生と記録とを同時に実行する場合の処理について説明する。既に述べたように、再生のみを実行する場合にはディスクプレイヤー１１の出力を直接ＤＡＣ１９に送出するのであるが、再生と記録を同時に実行する場合には、図３に示すようにディスクプレイヤー１１の出力をＤＳＰ１７に送る。
【００７４】
ＤＳＰ１７は、まず圧縮処理部３０のエンコーダ３２によってコンテンツデータＤ０を圧縮して低圧縮データＤ１を作成し、メモリ１８に記録する。その後、低圧縮データＤ１を読み出してデコーダ３２によってデコードし、ＤＡＣ１９に出力する。
【００７５】
なお、メモリ１８に記録された低圧縮データは、ＤＳＰ１８の負荷が小さくなった後にエンコーダ４２によって高圧縮データＤ２に変換してＨＤＤ１２に記録する。
【００７６】
このように、コンテンツデータＤ０を一旦低圧縮データＤ１に変換し、その後エンコードして出力することで、データの記録と再生を同時に実行することができる。なお、その場合には、低圧縮データＤ１はＨＤＤ１２に比して高速に読み書きが可能なメモリ１８に記録しておくことが好適である。
【００７７】
ところで、ディスクプレイヤーによっては、独自にエンコーダとデコーダを備えたものがある。このようなディスクプレイヤーを使用する場合には、ディスクプレイヤーのエンコード機能を用いて低圧縮データを作成してもよい。
【００７８】
図４に、ディスクプレイヤー内にエンコーダを備えた車載オーディオ装置１ａの概要構成を示す。同図に示すように、車載オーディオ装置１ａ内部のディスクプレイヤー１１ａは、圧縮処理部５０を備え、この圧縮処理部５０はエンコーダ５１およびデコーダ５２を有する。
【００７９】
ＤＳＰ１７ａは、ここでは圧縮処理部４０のみを備えているが、図１に示した構成と同様、圧縮処理部３０をさらに含んでもよい。そして、制御部１６ａは、スイッチ１３、ＤＳＰ１７ａの制御に加え、ディスクプレイヤー１１ａの圧縮処理不５０を制御する。
【００８０】
その他の構成および動作は、図１に示したオーディオ装置１と同様であるので、同一の構成要素には同一の符号を付して説明を省略する。
【００８１】
つづいて図５を参照し、オーディオ装置１ａの動作を説明する。同図に示すように、まず、ディスクプレイヤー１１ａの内部において、を圧縮処理部５０のエンコーダ５１がコンテンツデータＤ０を圧縮する。そして、エンコーダ５１による圧縮の結果得られた低圧縮データＤ１がＤＳＰ１７ａを介して一旦ＨＤＤ１２に記録される。また、ＨＤＤ１２で低圧縮データＤ１を記録せずにエンコーダ５０からエンコーダ４０へ直接データを送信してもよいし、メモリ１８に低圧縮データを記録した上で、圧縮処理部４０で高圧縮データＤ２を記録してもよい。
【００８２】
その後、ＤＳＰ１７ａが低圧縮データＤ１を読み出し、圧縮処理部４０がエンコーダ４１によって圧縮する。エンコーダ４１による圧縮の結果得られた高圧縮データＤ２は、ＨＤＤ１２に記録し、低圧縮データＤ１は削除される。
【００８３】
上述してきたように、本実施例にかかる車載オーディオ装置は、コンテンツデータを第１の圧縮状態で一旦記録媒体に記録し、その後、第２の圧縮状態に変換するので、記録速度の高速化と記録媒体の使用容量抑制とを両立することができる。
【００８４】
なお、圧縮の形式としては、同一の形式の圧縮率を変えて第１の圧縮と第２の圧縮を行なってもよいし、ＭＰ３とＡＴＲＡＣなど異なる形式の圧縮形式を採用してもよい。
【００８５】
そして、第１の圧縮について処理負荷と圧縮率とが可変であるならば、記録速度が最大となるように適宜設定することが好適である。
【００８６】
なお、本実施例では、コンテンツデータの一例として音楽データを例に説明を行なったが、動画データなど任意のコンテンツデータに対して本発明を利用することができる。
【００８７】
また、コンテンツデータの取得元としては、ＣＤ再生装置、ＤＶＤ再生装置、ＭＤ、カセットテープ、電気的メモリ装置、磁気ディスク装置など任意の装置から取得することができる。また、記録メディアに限らず、ＴＶ、ラジオ等の放送メディアから取得してもよい。
【００８８】
さらに、圧縮したデータの記録先についても、磁気ディスク、ＣＤ、ＤＶＤ、電気的メモリ、さらには外部に接続された他の記録機器など任意の記録媒体を使用することができる。
【産業上の利用可能性】
【００８９】
以上のように、本発明にかかるデータ記録装置は、コンテンツデータの記録に有効であり、特に記録速度の高速化と記録媒体の使用容量抑制に適している。
【図面の簡単な説明】
【００９０】
【図１】本発明の実施例にかかる車載オーディオ装置の概要構成を示す概要構成図である。
【図２】図１に示した車載オーディオ装置の動作について説明する説明図である。
【図３】記録と再生を同時に実行する場合の動作について説明する説明図である。
【図４】ディスクプレイヤー内にエンコーダを有する車載オーディオ装置の概要構成を示す概要構成図である。
【図５】図４に示した車載オーディオ装置の動作について説明する説明図である。
【符号の説明】
【００９１】
１，１ａ  車載オーディオ装置
１１，１１ａ  ディスクプレーヤー
１２    ＨＤＤ
１３    スイッチ
１４    操作入力部
１５    表示出力部
１６，１６ａ    制御部
１７，１７ａ    ＤＳＰ
１８    メモリ
１９    ＤＡＣ
２０    アンプ
２１    スピーカ
３０，４０，５０  圧縮処理部
３１，４１，５１  エンコーダ
３２，４２，５２  デコーダ
【図１】
2007035168.tif 000003
【図２】
2007035168.tif 000004
【図３】
2007035168.tif 000005
【図４】
2007035168.tif 000006
【図５】
2007035168.tif 000007